(57)【特許請求の範囲】
【請求項１】
入力した工事名称に対応する配線リストや結線表などの配線設計表を作成する配線設計支援装置であって、
全体制御やデータ処理などを行う中央処理装置と、キーボードやマウスなどの入力装置と、文字や図形などを表示する表示装置と、各種データを格納するディスクと、文字や図形などを印刷するプリンタとを有し、
前記中央処理装置は、ケーブルの被覆色、シールドの有無、ペア線の有無を示す線種データとケーブルの芯線の色分けを示す色別情報を含む登録情報を登録するマスタ登録手段と、ケーブル番号、線種、線数、自盤名称、至盤名称を含む配線情報を示す配線リストを作成する配線リスト作成手段と、信号名、端子番号、線番号、芯番号を含む結線情報を示す結線表を作成する結線表作成手段とを有し、
前記マスタ登録手段は、前記登録情報を前記入力装置を介して入力する登録情報入力手段と、前記入力した登録情報を前記表示装置に表示する登録情報表示手段と、前記登録情報を前記ディスクのマスタデータファイルに格納する登録情報記憶手段とを有し、
前記配線リスト作成手段は、前記配線情報としての工事名称を前記入力装置を介して入力すると共に新規の場合には前記配線情報を入力する第１の配線情報入力手段と、２回目以降の場合には前記配線情報を前記ディスクから読み込む第１の配線情報読込み手段と、前記読み込んだ配線情報を変更する場合には変更した配線情報を入力する第２の配線情報入力手段と、前記線種データを前記マスタデータファイルから読み込む第２の配線情報読み込み手段と、前記配線情報を前記配線リストのフォーマットで前記表示装置に表示する配線リスト表示手段と、前記表示した配線情報を前記ディスクの工事別データファイルに格納する配線情報記憶手段と、前記表示した配線情報を前記プリンタに印刷させる配線情報印刷手段とを有し、
前記結線表作成手段は、前記工事別データファイルから前記配線情報を読み込む配線情報読込み手段と、前記読み込んだ配線情報の中の線数情報の示す線数分だけの行数を前記結線表に確保する行数確保手段と、前記読み込んだ配線情報を結線情報として前記結線表のフォーマットで前記表示装置に表示する第１の結線表表示手段と、前記結線情報を変更する場合には変更結線情報を前記入力装置を介して入力する結線表入力手段と、前記結線情報の中の芯番号として前記色別情報を前記マスタデータファイルから読み込む色別情報読込み手段と、前記芯番号を含む前記結線情報を表示する第２の結線表表示手段と、前記表示した結線情報を前記工事別データファイルに格納する結線情報記憶手段と、前記表示した結線情報を前記プリンタに印刷させる結線情報印刷手段とを有することを特徴とする配線設計支援装置。
【請求項２】
前記配線情報印刷手段は、印刷種類・印字幅等の印刷条件を設定する設定手段と、図面表紙・配線リスト等の印刷対象を判定する表紙リスト判定手段と、前記表紙リスト判定手段で判定した印刷対象を前記印刷条件により印刷する印刷指令手段とを有することを特徴とする請求項１に記載の配線設計支援装置。
【請求項３】
前記結線表印刷手段は、図面・チューブ等の印刷種類を選択する種類選択手段と、印字幅等の印刷条件を設定する設定手段と、前記選択した印刷種類が図面の場合に図面表紙・電気結線等の印刷対象を判定する表紙結線判定手段と、前記選択した印刷種類と前記印刷条件と前記判定した印刷対象とに基づいて前記プリンタに対して印刷を行わせる印刷指令手段とを有することを特徴とする請求項１または２に記載の配線設計支援装置。
【請求項４】
前記中央処理装置は、ケーブル番号、線種、線サイズ、自盤名称、至盤名称を含むケーブル配線札用データが記載されたケーブル配線札を作成するケーブル配線札作成手段を有することを特徴とする請求項１乃至３のいずれか１に記載の配線設計支援装置。
【請求項５】
前記ケーブル配線札作成手段は、前記工事別データファイルから前記配線情報を前記ケーブル配線札用データとして読み込む読込み手段と、前記読み込んだケーブル配線札用データの並べ替えを行うデータ並べ替え手段と、前記並べ替えたケーブル配線札用データを配線札一覧に表示すると共に表示されている前記ケーブル配線札のフォーマットに表わす表示手段と、前記表示したケーブル配線札用データと前記ケーブル配線札のフォーマットを前記プリンタに印刷させる印刷指令手段とを有することを特徴とする請求項４に記載の配線設計支援装置。
【請求項６】
前記中央処理装置は、ケーブル種類、ケーブル長さの総計、端末の総計、電線管、電線管長さの総計を含む材料情報を示す材料集計表を作成する材料集計表作成手段を有することを特徴とする請求項１乃至５のいずれか１に記載の配線設計支援装置。
【請求項７】
前記材料集計表作成手段は、前記工事別データファイルから配線情報を読み込む読込み手段と、前記読み込んだ配線情報に基づいて材料別に数量を集計する数量集計手段と、前記集計した材料別数量を前記材料集計表に前記材料情報として表示する第１の表示手段と、前記集計した材料の中のケーブルが関連する材料と前記関連する材料の数量とを入力する入力手段と、前記関連する材料を含む前記材料情報を表示する第２の表示手段と、前記関連する材料を含む前記材料情報を前記ディスクの材料集計データファイルに格納する記憶手段と、前記関連する材料を含む前記材料情報を前記プリンタに印刷させる印刷指令手段とを有することを特徴とする請求項６に記載の配線設計支援装置。
【請求項８】
前記中央処理装置は、ケーブル種別、色別、線サイズ、注文長さを含む仕様情報を示すケーブル購入仕様書を作成するケーブル購入仕様書作成手段を有することを特徴とする請求項１乃至７のいずれか１に記載の配線設計支援装置。
【請求項９】
前記ケーブル購入仕様書作成手段は、前記工事別データファイルから配線情報を読み込む読込み手段と、前記読み込んだ配線情報に基づいて線種毎に長さを集計する長さ集計手段と、前記集計した長さを前記ケーブル購入仕様書に表示する第１の表示手段と、前記線種毎の長さを変更する場合には前記入力装置を介して変更データを入力する入力手段と、前記線種毎の長さを線種別に合計する長さ合計手段と、前記合計した線種別の長さを前記ケーブル購入仕様書に表示する第２の表示手段と、前記合計した線種別の長さを表示した前記ケーブル購入仕様書を前記工事別データファイルに格納する記憶手段と、前記合計した線種別の長さを表示した前記ケーブル購入仕様書を前記プリンタに印刷させる印刷指令手段とを有することを特徴とする請求項８に記載の配線設計支援装置。
【発明の詳細な説明】
【０００１】
【発明の属する技術分野】
本発明は、電線の配線に必要な配線リストや結線表などの配線設計表を作成する配線設計支援装置に関する。
【０００２】
【従来の技術】
従来、配線設計を支援する技術としては、特開平５−２４２２０２号公報に記載の配線設計支援装置や特開平６−３０９４１４号公報に記載の配線支援方法などがある。しかし、これらはプリント基板上の配線設計の支援であり、盤間の配線設計を支援するような配線設計支援装置は無く、盤間の配線設計は手作業、たとえば、電線用マークチューブへの印字内容を手作業で図面に記載したりしていた。また、計装用等の配線設計は、最初に図面を作成し、その図面を見ながら電線用マークチューブへ印字を行っている。作業工程としては、先ず図面の作成が発生する。この図面もＣＡＤなどで一枚ずつレイアウトを決め作成するが、枚数は工事により異なり、数十枚〜１００枚以上の枚数を作成しなければならず、枚数が増えれば図面の内容に入力ミスが発生し、全枚数を再度確認するのにも多大な時間を要していた。
【０００３】
【発明が解決しようとする課題】
このように、盤間の配線設計は手作業で行われており、作業に多大の時間を要し、かつ膨大な作図を必要とし、作業効率が悪く、また作業ミスも発生しやすいという問題点を有していた。
この配線設計支援装置では、作業効率を高め、作業ミスを回避することが要求されている。
【０００４】
本発明は、この要求を満たすため、配線設計の各作業の作業効率を高めるとともに、各作業の作業ミスを回避することができる配線設計支援装置を提供することを目的とする。
【０００５】
【課題を解決するための手段】
上記課題を解決するために本発明の配線設計支援装置は、入力した工事名称に対応する配線リストや結線表などの配線設計表を作成する配線設計支援装置であって、全体制御やデータ処理などを行う中央処理装置と、キーボードやマウスなどの入力装置と、文字や図形などを表示する表示装置と、各種データを格納するディスクと、文字や図形などを印刷するプリンタとを有し、中央処理装置は、ケーブルの被覆色、シールドの有無、ペア線の有無を示す線種データとケーブルの芯線の色分けを示す色別情報を含む登録情報を登録するマスタ登録手段と、ケーブル番号、線種、線数、自盤名称、至盤名称を含む配線情報を示す配線リストを作成する配線リスト作成手段と、信号名、端子番号、線番号、芯番号を含む結線情報を示す結線表を作成する結線表作成手段とを有し、マスタ登録手段は、登録情報を入力装置を介して入力する登録情報入力手段と、入力した登録情報を表示装置に表示する登録情報表示手段と、登録情報をディスクのマスタデータファイルに格納する登録情報記憶手段とを有し、配線リスト作成手段は、配線情報としての工事名称を入力装置を介して入力すると共に新規の場合には配線情報を入力する第１の配線情報入力手段と、２回目以降の場合には配線情報をディスクから読み込む配線情報読込み手段と、読み込んだ配線情報を変更する場合には変更した配線情報を入力する第２の配線情報入力手段と、線種データをマスタデータファイルから読み込む第２の配線情報読み込み手段と、配線情報を配線リストのフォーマットで表示装置に表示する配線リスト表示手段と、表示した配線情報をディスクの工事別データファイルに格納する配線情報記憶手段と、表示した配線情報をプリンタに印刷させる配線情報印刷手段とを有し、結線表作成手段は、工事別データファイルから配線情報を読み込む配線情報読込み手段と、読み込んだ配線情報の中の線数情報の示す線数分だけの行数を結線表に確保する行数確保手段と、読み込んだ配線情報を結線情報として結線表のフォーマットで表示装置に表示する第１の結線表表示手段と、結線情報を変更する場合には変更結線情報を入力装置を介して入力する結線表入力手段と、結線情報の中の芯番号として色別情報をマスタデータファイルから読み込む色別情報読込み手段と、芯番号を含む結線情報を表示する第２の結線表表示手段と、表示した結線情報を工事別データファイルに格納する結線情報記憶手段と、表示した結線情報をプリンタに印刷させる結線情報印刷手段とを有する構成を備えている。
これにより、配線設計時の各種作業の作業効率を高めることができ、また作業ミスを回避することができるとともに積算を容易かつ確実に行うことができる配線設計支援装置が得られる。
【０００６】
【発明の実施の形態】
本発明の請求項１に記載の配線設計支援装置は、入力した工事名称に対応する配線リストや結線表などの配線設計表を作成する配線設計支援装置であって、全体制御やデータ処理などを行う中央処理装置と、キーボードやマウスなどの入力装置と、文字や図形などを表示する表示装置と、各種データを格納するディスクと、文字や図形などを印刷するプリンタとを有し、中央処理装置は、ケーブルの被覆色、シールドの有無、ペア線の有無を示す線種データとケーブルの芯線の色分けを示す色別情報を含む登録情報を登録するマスタ登録手段と、ケーブル番号、線種、線数、自盤名称、至盤名称を含む配線情報を示す配線リストを作成する配線リスト作成手段と、信号名、端子番号、線番号、芯番号を含む結線情報を示す結線表を作成する結線表作成手段とを有し、マスタ登録手段は、登録情報を入力装置を介して入力する登録情報入力手段と、入力した登録情報を表示装置に表示する登録情報表示手段と、登録情報をディスクのマスタデータファイルに格納する登録情報記憶手段とを有し、配線リスト作成手段は、配線情報としての工事名称を入力装置を介して入力すると共に新規の場合には配線情報を入力する第１の配線情報入力手段と、２回目以降の場合には配線情報をディスクから読み込む配線情報読込み手段と、読み込んだ配線情報を変更する場合には変更した配線情報を入力する第２の配線情報入力手段と、線種データをマスタデータファイルから読み込む第２の配線情報読み込み手段と、配線情報を配線リストのフォーマットで表示装置に表示する配線リスト表示手段と、表示した配線情報をディスクの工事別データファイルに格納する配線情報記憶手段と、表示した配線情報をプリンタに印刷させる配線情報印刷手段とを有し、結線表作成手段は、工事別データファイルから配線情報を読み込む配線情報読込み手段と、読み込んだ配線情報の中の線数情報の示す線数分だけの行数を結線表に確保する行数確保手段と、読み込んだ配線情報を結線情報として結線表のフォーマットで表示装置に表示する第１の結線表表示手段と、結線情報を変更する場合には変更結線情報を入力装置を介して入力する結線表入力手段と、結線情報の中の芯番号として色別情報をマスタデータファイルから読み込む色別情報読込み手段と、芯番号を含む結線情報を表示する第２の結線表表示手段と、表示した結線情報を工事別データファイルに格納する結線情報記憶手段と、表示した結線情報をプリンタに印刷させる結線情報印刷手段とを有することとしたものである。
この構成により、
（１）配線設計表作成において登録情報を利用することができるので、作業効率を高めることができ、また、ケーブル番号等の配線情報を示す配線リストに応じて必要な配線情報を確実に入力することができ、入力しさえすれば配線リストが作成されるので、配線リスト作成において、作業効率を高めることができると共に作業ミスを回避することができるという作用を有する。
（２）ケーブル番号等の結線情報を示す結線表に応じて必要な結線情報を確実に入力することができ、入力しさえすれば結線表が作成されるので、結線表作成において、作業効率を高めることができると共に作業ミスを回避することができるという作用を有する。
【０００７】
請求項２に記載の配線設計支援装置は、請求項１に記載の配線設計支援装置において、配線情報印刷手段は、印刷種類・印字幅等の印刷条件を設定する設定手段と、図面表紙・配線リスト等の印刷対象を判定する表紙リスト判定手段と、表紙リスト判定手段で判定した印刷対象を印刷条件により印刷する印刷指令手段とを有することとしたものである。
この構成により、
（１）印刷条件を容易に設定することができ、設定した印刷条件に即して印刷対象を印刷することができるので、設定した印刷条件に即した印刷物を利用して配線工事の効率化を図ることができるという作用を有する。
【０００８】
請求項３に記載の配線設計支援装置は、請求項１または２に記載の配線設計支援装置において、結線情報印刷手段は、図面・チューブ等の印刷種類を選択する種類選択手段と、印字幅等の印刷条件を設定する設定手段と、選択した印刷種類が図面の場合に図面表紙・電気結線等の印刷対象を判定する表紙結線判定手段と、選択した印刷種類と印刷条件と判定した印刷対象とに基づいてプリンタに対して印刷を行わせる印刷指令手段とを有することとしたものである。
この構成により、
（１）印刷種類や印刷条件を容易に設定することができ、設定した印刷種類や印刷条件に即して印刷対象を印刷することができるので、設定した印刷種類や印刷条件に即した印刷物を利用して配線工事の効率化を図ることができるという作用を有する。
【０００９】
請求項４に記載の配線設計支援装置は、請求項１乃至３のいずれか１に記載の配線設計支援装置において、中央処理装置は、ケーブル番号、線種、線サイズ、自盤名称、至盤名称を含むケーブル配線札用データが記載されたケーブル配線札を作成するケーブル配線札作成手段を有することとしたものである。
この構成により、ケーブル番号等のケーブル配線札が作成されるので、ケーブル配線札作成において、作業効率を高めることができると共に作業ミスを回避することができるという作用を有する。
【００１０】
請求項５に記載の配線設計支援装置は、請求項４に記載の配線設計支援装置において、ケーブル配線札作成手段は、工事別データファイルから配線情報をケーブル配線札用データとして読み込む読込み手段と、読み込んだケーブル配線札用データの並べ替えを行うデータ並べ替え手段と、並べ替えたケーブル配線札用データを配線札一覧に表示すると共に表示されているケーブル配線札のフォーマットに表わす表示手段と、表示したケーブル配線札用データとケーブル配線札のフォーマットをプリンタに印刷させる印刷指令手段とを有することとしたものでである。
この構成により、
（１）ケーブル番号等のケーブル配線札が作成されるので、ケーブル配線札作成において、作業効率を高めることができると共に作業ミスを回避することができるという作用を有する。
【００１１】
請求項６に記載の配線設計支援装置は、請求項１乃至５のいずれか１に記載の配線設計支援装置において、中央処理装置は、ケーブル種類、ケーブル長さの総計、端末の総計、電線管、電線管長さの総計を含む材料情報を示す材料集計表を作成する材料集計表作成手段を有することとしたものである。
この構成により、
（１）ケーブル種類等の材料情報を示す材料集計表に応じて必要な材料情報を入力しさえすれば材料集計表が作成されるので、材料集計表作成において、作業効率を高めることができると共に作業ミスを回避することができるという作用を有する。
【００１２】
請求項７に記載の配線設計支援装置は、請求項６に記載の配線設計支援装置において、材料集計表作成手段は、工事別データファイルから配線情報を読み込む読込み手段と、読み込んだ配線情報に基づいて材料別に数量を集計する数量集計手段と、集計した材料別数量を材料集計表に材料情報として表示する第１の表示手段と、集計した材料の中のケーブルが関連する材料と関連する材料の数量とを入力する入力手段と、関連する材料を含む材料情報を表示する第２の表示手段と、関連する材料を含む材料情報をディスクの材料集計データファイルに格納する記憶手段と、関連する材料を含む材料情報をプリンタに印刷させる印刷指令手段とを有することとしたものである。
この構成により、
（１）ケーブル種類等の材料情報を示す材料集計表に応じて必要な材料情報を確実に入力することができるので、材料集計表作成において、作業効率を高めることができると共に作業ミスを回避することができるという作用を有する。
【００１３】
請求項８に記載の配線設計支援装置は、請求項１乃至７のいずれか１に記載の配線設計支援装置において、中央処理装置は、ケーブル種別、色別、線サイズ、注文長さを含む仕様情報を示すケーブル購入仕様書を作成するケーブル購入仕様書作成手段を有することとしたものである。
この構成により、
（１）ケーブル種別等の仕様情報を示すケーブル購入仕様書に応じて必要な仕様情報を入力しさえすればケーブル購入仕様書が作成されるので、ケーブル購入仕様書作成において、作業効率を高めることができると共に作業ミスを回避することができるという作用を有する。
【００１４】
請求項９に記載の配線設計支援装置は、請求項８に記載の配線設計支援装置において、ケーブル購入仕様書作成手段は、工事別データファイルから配線情報を読み込む読込み手段と、読み込んだ配線情報に基づいて線種毎に長さを集計する長さ集計手段と、集計した長さをケーブル購入仕様書に表示する第１の表示手段と、線種毎の長さを変更する場合には入力装置を介して変更データを入力する入力手段と、線種毎の長さを線種別に合計する長さ合計手段と、合計した線種別の長さをケーブル購入仕様書に表示する第２の表示手段と、合計した線種別の長さを表示したケーブル購入仕様書を工事別データファイルに格納する記憶手段と、合計した線種別の長さを表示したケーブル購入仕様書をプリンタに印刷させる印刷指令手段とを有することとしたものである。
この構成により、
（１）ケーブル種別等の仕様情報を示すケーブル購入仕様書に応じて必要な仕様情報を確実に入力することができるので、ケーブル購入仕様書作成において、作業効率を高めることができると共に作業ミスを回避することができるという作用を有する。
【００１９】
以下、本発明の実施の形態について、図１〜図３５を用いて説明する。
（実施の形態１）
図１は本発明の実施の形態１における配線設計支援装置のハードウェア構成を示すブロック図である。
【００２０】
図１において、１は全体制御やデータ処理などを行う中央処理装置、２は各種データが伝送されるバス、３はＲＯＭ、４はＲＡＭ、５は入力装置を構成するキーボード、６は入力装置を構成するマウス、７は文字や図形などを表示する表示装置としてのＣＲＴ、８は各種データを格納し読み込むためのディスク（ＤＩＳＫ）、９は図面や帳票を印刷するプリンタとしてのレーザプリンタ、１０は電線用マークチューブに印刷するプリンタとしてのチューブプリンタである。
【００２１】
図２は、中央処理装置１における機能実現手段の基本的構成を示す機能ブロック図である。
図２において、１１は各処理を選択する処理選択手段、１２は各処理を実行する処理実行手段、１３は処理を終了するか否かを判定する終了判定手段である。
【００２２】
このように構成された配線設計支援装置について、その基本動作を図３を用いて説明する。図３は配線設計支援装置の基本動作を示すフローチャートである。
【００２３】
図３において、まず、配線設計支援装置のＣＲＴ７にメイン画面が表示され、処理選択手段１１は、そのメイン画面に基づいて、いずれかの処理を選択し（ＳＡ）、処理実行手段１２はステップＳＡで選択した処理を実行する（ＳＢ）。処理実行手段１２は、マスタ登録処理、配線リスト作成処理、結線表作成処理、ケーブル配線札作成処理、材料集計表作成処理、ケーブル購入仕様書作成処理などを行う。次に、終了判定手段１３は、終了ボタン（図示せず）が押下されたか否かを判定し、押下されたと判定した場合は処理を終了し、押下されていないと判定した場合はステップＳＡに戻る（ＳＣ）。
【００２４】
図４は、図２の処理実行手段１２の構成を示す機能ブロック図である。
図４において、１４はケーブル種別、線サイズ、色別、社名、ロゴ等の登録情報を登録するマスタ登録手段、１５はケーブル番号、線種、線サイズ、自盤名称、至盤名称等の配線情報を示す配線リストを作成する配線リスト作成手段、１６はケーブル番号、線種、線サイズ、自盤名称、至盤名称、信号名、回路記号、端子番号等の結線情報を示す結線表を作成する結線表作成手段、１７はケーブル番号、線種、線サイズ、自盤名称、至盤名称等のケーブル配線札用データが記載されたケーブル配線札を作成するケーブル配線札作成手段、１８はケーブル種類、ケーブル長さの総計、端末の総計、電線管、電線管長さの総計等の材料情報を示す材料集計表を作成する材料集計表作成手段、１９はケーブル種別、色別、線サイズ、注文長さ等の仕様情報を示すケーブル購入仕様書を作成するケーブル購入仕様書作成手段である。各手段１４〜１９の動作については以降の実施の形態で説明する。
【００２５】
以上のように本実施の形態によれば、中央処理装置１は、ケーブル種類、線種色、シールド線の有無等の登録情報を登録するマスタ登録手段１４と、ケーブル番号、線種、線サイズ、自盤名称、至盤名称、Ｎｅｔ数量（ｍ）、亘長（ｍ）、ケーブル以外の材料(電線管等)等を示す配線リストを作成する配線リスト作成手段１５とを有することにより、配線設計表作成において登録情報を利用することができるので、配線設計の設計効率を高めるとともに設計ミスをなくすことができる。また、ケーブル番号等の配線情報を示す配線リストに応じて必要な配線情報を入力しさえすれば配線リストが作成されるので、配線リスト作成において、作業効率を高めることができると共に作業ミスを回避することができる。
【００２６】
また、中央処理装置１は、信号名、回路記号、端子番号（自盤）、端子番号（至盤）、線番号（自盤、至盤）、芯番号等の結線情報を示す結線表を作成する結線表作成手段１６を有することにより、ケーブル番号等の結線情報を示す結線表に応じて必要な結線情報を入力しさえすれば結線表が作成されるので、結線表作成において、作業効率を高めることができると共に作業ミスを回避することができる。
また、結線用として作製していたチューブ印刷も、従来は図面を見ながら再度番号を入力して印字していたが、本発明によれば結線表で入力された番号をチューブ専用プリンタと接続することにより自動でチューブ印刷を行うことができるとともに、チューブ印刷も自盤名称及び至盤名称を先に印刷し、線番号を印刷できるため、印刷後の相番処理を極めて容易かつ確実に行うことができる。また、チューブの種類も選択して印刷できるので、線のサイズを指定して印刷すればチューブの差し換えも一度で行うことができる。
【００２７】
さらに、中央処理装置１は、ケーブル番号、線種、線サイズ、自盤名称、至盤名称等のケーブル配線札用データが記載されたケーブル配線札を作成するケーブル配線札作成手段１７を有することにより、ケーブル番号等のケーブル配線札用データを示す配線札一覧表に応じて必要なケーブル配線札が作成されるので、ケーブル配線札作成において、作業効率を高めることができると共に作業ミスを回避することができる。
【００２８】
さらに、中央処理装置１は、ケーブル種類、ケーブル長さの総計、端末の総計、電線管、電線管長さの総計等の材料情報を示す材料集計表を作成する材料集計表作成手段１８を有することにより、ケーブル種類等の材料情報を示す材料集計表に応じて必要な材料情報を入力しさえすれば材料集計表が作成されるので、材料集計表作成において、作業効率を高めることができると共に作業ミスを回避することができる。
また、配線リストや結線表を作成することにより、ケーブル札やチューブ印刷、材料手配リスト、材料集計等が同時に行うことができ信頼性が高く、従来の配線設計時の逐次作業に比べ時間と経費を大幅に削減できるとともに、省力化に優れる。
【００２９】
さらに、中央処理装置１は、ケーブル種別、色別、線サイズ、注文長さ等の仕様情報を示すケーブル購入仕様書を作成するケーブル購入仕様書作成手段１９を有することにより、ケーブル種別等の仕様情報を示すケーブル購入仕様書に応じて必要な仕様情報を入力しさえすればケーブル購入仕様書が作成されるので、ケーブル購入仕様書作成において、作業効率を高めることができると共に作業ミスを回避し、無駄なケーブルの購入を避けることができる。
【００３０】
（実施の形態２）
本発明の実施の形態２における配線設計支援装置のハードウェア構成は実施の形態１と同様、図１の構成である。
図５は、本発明の実施の形態２による配線設計支援装置を構成するマスタ登録手段１４を示す機能ブロック図である。マスタ登録手段１４は登録情報をディスク８に格納するものであるが、ケーブル種別、被覆色、シールドの有無、ペア線、線サイズ等のマスタ登録処理は、他の全ての処理の前に行っておく必要がある。後工程の作業性を高めるためである。
【００３１】
図５において、１４１は各種データを入力装置５、６を介して入力する入力手段、１４２は必要なデータを入力したか否かを判定する入力判定手段、１４３は文字や図形を表示装置７に表示させる表示手段、１４４は保存すべきデータの種類を判定する保存判定手段、１４５はデータを記憶させる記憶手段、１４６は文字や図形の印刷を指示する印刷指令手段である。
このように構成された配線設計支援装置のマスタ登録手段１４について、その動作を図６を用いて説明する。図６は図５のマスタ登録手段１４の動作を示すフローチャートである。
【００３２】
図６において、まず、入力手段１４１はケーブル種類、線種、色等の登録情報を入力装置５を介して入力し（Ｓ１）、入力判定手段１４２は必要な登録情報が入力されたか否かを判定する（Ｓ２）。判定は、入力完了ボタン（図示せず）が押下されたか否かで行う。次に、表示手段１４３は、ステップＳ１で入力された登録情報をＣＲＴ７の画面に表示する（Ｓ３）。図７はＣＲＴ７の画面に表示された登録情報一覧表を示す画面図である。図７に示された登録情報は一例であり、情報は必要に応じて増減することができる。次に、保存判定手段１４４は、保存すべきデータの種類毎に分ける（Ｓ４）。例えば、ケーブル種別、線サイズおよび色別と、社名およびロゴとに分ける。次に、記憶手段１４５は、ケーブル種別、線サイズ、色別をディスク８のマスタデータファイルに格納し（Ｓ５）、社名、ロゴをディスクの社名データファイルに格納する（Ｓ６）。最後に、印刷指令手段１４６は、登録情報を示すマスタ一覧をレーザプリンタ９により帳票に印刷させる（Ｓ７）。
【００３３】
以上のように本実施の形態によれば、マスタ登録手段１４は、登録情報を入力装置を介して入力する入力手段１４１と、入力した登録情報を表示する表示手段１４３と、ケーブル種別、線サイズ、色別をディスクにマスタデータファイルとして格納すると共に社名、ロゴをディスクに社名データファイルとして登録する記憶手段１４５と、登録情報を示すマスタ一覧表をプリンタに印刷させる印刷指令手段１４６とを有することにより、配線設計表作成において登録情報を有効に利用することができるので、作業効率を確実に高めることができる。
【００３４】
（実施の形態３）
本発明の実施の形態３における配線設計支援装置のハードウェア構成は実施の形態１と同様、図１の構成である。
図８は、本発明の実施の形態３による配線設計支援装置を構成する配線リスト作成手段１５を示す機能ブロック図である。配線リスト作成手段１５の行う配線リスト作成処理は通常、マスタ登録処理後、最初に行われる処理である。
【００３５】
図８において、１５１は各種データを入力装置５、６を介して入力する入力手段、１５２は必要なデータをディスク８から読み込む読込み手段、１５３は文字や図形を表示装置７に表示させる表示手段、１５４は必要なデータを入力したか否かを判定する入力判定手段、１５５はデータを記憶させる記憶手段、１５６は文字や図形の印刷を指示する印刷手段である。
【００３６】
このように構成された配線設計支援装置の配線リスト作成手段１５について、その動作を図１０、図１２、図１３、図１４を用いて説明する。図１０は図８の配線リスト作成手段１５の動作を示すフローチャートであり、図１２、図１３は配線リストのフォーマットを示す画面図、図１４は線種の選択画面を示す画面図である。
【００３７】
図１０において、まず、入力手段１５１は入力装置５を介して配線情報としての工事名称を入力する（Ｓ１１）。そして、新規の配線工事の場合にはケーブル番号、線種、線サイズ、自盤名称、至盤名称等の配線情報も入力する。２回目以降の場合には読込み手段１５２は、上記配線情報をディスク８の工事別データファイルから読み込み（Ｓ１２）、表示手段１５３は、入力または読込みを行った配線情報を配線リストのフォーマットでＣＲＴ７の画面に表示する（Ｓ１３）。これを図１２、図１３に示す。次に、入力手段１５１は、読み込んだ配線情報を変更する場合には変更した配線情報を入力し（Ｓ１４）、入力判定手段１５４は必要なデータを入力したか否かの判定を行う（Ｓ１５）。ここで、読込み手段１５２は、線種データ（被覆色、シールドの有無、ペア線の有無）については、ディスク８のマスタデータファイルから読み込む（Ｓ１６）。なお、線種データは配線情報を構成するものではない。線種の選択は、表示手段１５３が図１４のような画面を表示することにより行われる。入力手段１５１はマウス６を操作して線種データを選択し、選択結果を表示手段１５３は配線リストの対応する欄（図１２参照）に表示する（Ｓ１７）。次に、記憶手段１５５は、ステップＳ１７で表示した配線情報をディスク８の工事別データファイルに格納し（Ｓ１８）、印刷手段１５６は、ステップＳ１７で表示した配線情報をレーザプリンタ９に印刷させる（Ｓ１９）。
【００３８】
図１２、図１３は配線リストの一例を示し（一部分が重複して示されている）、同図に示すように、ケーブル番号、電圧、線種、線サイズ、線数、自盤名称、至盤名称、ネット長さ、亘長、本数、端末箇所、電線管、数量、フレキ、プルボックス、数量、備考の各欄が設けられている。図１５は図１２のケーブル番号のＰ−００１、Ｐ−００２、・・・・を示す盤間配線図である。
【００３９】
図９は図８の印刷手段１５６を示す機能ブロック図である。
図９において、１５６１は印刷種類や印字幅、用紙サイズ、マージンなどの印刷設定情報を設定するための設定手段、１５６２は印刷種類が図面表紙か配線リストか材料リストかを判定する表紙リスト判定手段、１５６３は図面表紙のデータを入力する表紙データ入力手段、１５６４は印刷をレーザプリンタ９に行わせる印刷指令手段である。
【００４０】
このように構成された印刷手段１５６について、その動作を図１１、図１６を用いて説明する。図１１は図９の印刷手段１５６の動作を示すフローチャートであり、図１６は図面表紙を示す画面図である。
図１１において、まず、設定手段１５６１は印刷情報を設定する（Ｓ２１）。次に、表紙リスト判定手段１５６２は印刷種類が図面表紙か配線リストか材料リストかを判定する（Ｓ２２、Ｓ２５、Ｓ２７）。図１６に示すような図面表紙と判定したときは表紙データ入力手段１５６３は図面表紙データを入力し（Ｓ２３）、印刷指令手段１５６４は図面表示をレーザプリンタ９に印刷させる（Ｓ２４）。印刷種類が配線リストまたは材料リストの場合には、印刷指令手段１５６４は、配線リストまたは材料リストをレーザプリンタ９に印刷させる（Ｓ２６、Ｓ２８）。
【００４１】
以上のように本実施の形態によれば、配線リスト作成手段１５は、配線情報としての工事名称を入力すると共に新規の場合には配線情報を入力する第１の入力手段１５１と、２回目以降の場合には配線情報をディスクから読み込む第１の読込み手段１５２と、読み込んだ配線情報を変更する場合には変更した配線情報を入力する第２の入力手段１５１と、線種の内容を示す線種データをディスクのマスタデータファイルから読み込む第２の読込み手段１５２と、配線情報を配線リストのフォーマットで表示する表示手段１５３と、表示した配線情報をディスクの工事別データファイルに格納する記憶手段１５５と、表示した配線情報をプリンタに印刷させる印刷手段１５６とを有することにより、ケーブル番号等の配線情報を示す配線リストに応じて必要な配線情報を確実に入力することができるので、配線リスト作成において、作業効率を高めることができると共に作業ミスを確実に回避することができる。
【００４２】
また、印刷手段１５６は、印刷種類・印字幅等の印刷条件を設定する設定手段１５６１と、図面表紙・配線リスト等の印刷対象を判定する表紙リスト判定手段１５６２と、表紙リスト判定手段で判定した印刷対象を印刷条件により印刷する印刷指令手段１５６４とを有することにより、印刷条件を容易に設定することができ、設定した印刷条件に即して印刷対象を印刷することができるので、設定した印刷条件に即した印刷物を利用して配線工事の効率化を図ることができる。
【００４３】
（実施の形態４）
本発明の実施の形態４における配線設計支援装置のハードウェア構成は実施の形態１と同様、図１の構成である。
図１７は、本発明の実施の形態４による配線設計支援装置を構成する結線表作成手段１６を示す機能ブロック図である。結線表作成手段１６の行う結線表作成処理は通常、配線リスト作成処理後に行われる処理である。
【００４４】
図１７において、１６１は必要なデータをディスク８から読み込む読込み手段、１６２は線数分だけの行数を確保する行数確保手段、１６３は文字や図形を表示装置７に表示させる表示手段、１６４は各種データを入力装置５、６を介して入力する入力手段、１６５は必要なデータを入力したか否かを判定する入力判定手段、１６６はデータを記憶させる記憶手段、１６７は文字や図形の印刷を指示する印刷手段である。
【００４５】
このように構成された配線設計支援装置の結線表作成手段１６について、その動作を図１９、図２１〜図２４を用いて説明する。図１９は図１７の結線表作成手段１６の動作を示すフローチャートであり、図２１、図２２は結線表のフォーマットを示す画面図、図２３は回路選択を行うための画面を示す画面図、図２４は色別選択のための画面を示す画面図である。
【００４６】
図１７において、まず、読込み手段１６１はディスク８の工事別データファイルから工事別データを読み込み（Ｓ３１）、行数確保手段１６２は、工事別データの中の線数データの示す線数分だけの行数を結線表の中に確保する（Ｓ３２）。次に、表示手段１６３は、工事別データとして読み込んだ結線情報を結線表のフォーマットでＣＲＴ７の画面に表示する（Ｓ３３）。これを図２１、図２２に示す。次に、入力手段１６４は、端子番号、線番号、芯番号、回路コマンド等の結線情報を入力し（Ｓ３４）、入力判定手段１６５は必要な結線情報を入力したか否かの判定を行う（Ｓ３５）。回路コマンドの選択は図２３の表示に基づいて行う。すなわち、回路選択で回路コマンドを選択すれば、選択した回路コマンドが入力される。また、その他シンボルを選択した場合は回路コマンドを入力する。次に、読込み手段１６１は芯番号をディスク８のマスタデータファイルから読み込む（Ｓ３６）。これは図２４に示す画面に基づいて色別情報を選択することにより行われる。図２４はケーブル番号Ｐ−００１の芯番号を示し、色別情報として数字連番が選択されたことを示す。次に、表示手段１６３は、各結線情報を結線表のフォーマットで表示し（Ｓ３７）、記憶手段１６６は、ステップＳ３７で表示した結線情報をディスク８の工事別データファイルに格納する（Ｓ３８）。次に、印刷手段１６７は、ステップＳ３７で表示した結線情報をレーザプリンタ９またはチューブプリンタ１０に印刷させる（Ｓ３９）。
【００４７】
図１８は図１７の印刷手段１６７を示す機能ブロック図である。
図１８において、１６７１は印刷種類を選択する種類選択手段、１６７２は印刷種類が図面かチューブかを判定する図面チューブ判定手段、１６７３は印字幅や用紙サイズ、マージンなどの印刷設定情報を設定するための設定手段、１６７４は印刷物が図面表紙か電気結線か計装結線かを判定する表紙結線判定手段、１６７５は図面表示データを入力する表紙データ入力手段、１６７６は印刷をレーザプリンタ９またはチューブプリンタ１０に行わせる印刷指令手段である。
【００４８】
このように構成された印刷手段１６７について、その動作を図２０、図２５を用いて説明する。図２０は図１８の印刷手段１６７の動作を示すフローチャートであり、図２５はチューブプリンタ１０による印刷出力を示す印刷出力図である。
【００４９】
図２０において、まず、種類選択手段１６７１はＣＲＴ７上に表示した画面（図示せず）に基づいて印刷種類を選択し（Ｓ４１）、図面チューブ判定手段１６７２は印刷種類が図面かチューブかを判定する（Ｓ４２）。図面と判定した場合、設定手段１６７３は印刷設定情報を設定する（Ｓ４３）。次に、表紙結線判定手段１６７４は印刷物が図面表紙（図１６参照）か電気結線か計装結線かを判定する（Ｓ４４、Ｓ４７、Ｓ４９）。図面表紙と判定したときは表紙データ入力手段１６７５は図面表紙データを図１６の画面フォーマットに基づいて入力し（Ｓ４５）、印刷指令手段１６７６は図面表示をレーザプリンタ９に印刷させる（Ｓ４６）。印刷物が電気結線または計装結線の場合には、印刷指令手段１６７６は、電気結線表または計装結線表をレーザプリンタ９に印刷させる（Ｓ４８、Ｓ５０）。ステップＳ４２でチューブと判定した場合、設定手段１６７３は印刷設定情報を設定する（Ｓ５１）。次に、印刷指令手段１６７６は、図２５に示すようなチューブ印字をチューブプリンタ１０に印刷させる（Ｓ５２）。
【００５０】
以上のように本実施の形態によれば、結線表作成手段１６は、工事別データファイルから配線情報を読み込む第１の読込み手段１６１と、読み込んだ配線情報の中の線数情報の示す線数分だけの行数を結線表に確保する行数確保手段１６２と、読み込んだ配線情報を結線表に結線情報として表示する第１の表示手段１６３と、結線情報を変更する場合には変更結線情報を入力装置を介して入力する入力手段１６４と、結線情報の中の芯番号をマスタデータファイルから読み込む第２の読込み手段１６１と、芯番号を含む結線情報を表示する第２の表示手段１６３と、表示した結線情報を工事別データファイルに格納する記憶手段１６６と、表示した結線情報をプリンタに印刷させる印刷手段１６７とを有することにより、ケーブル番号等の結線情報を示す結線表に応じて必要な結線情報を確実に入力することができるので、結線表作成において、作業効率を高めることができると共に作業ミスを回避することができる。
【００５１】
また、印刷手段１６７は、図面・チューブ等の印刷種類を選択する種類選択手段１６７１と、印字幅等の印刷条件を設定する設定手段１６７３と、選択した印刷種類が図面の場合に図面表紙・電気結線等の印刷対象を判定する表紙結線判定手段１６７４と、選択した印刷種類と印刷条件と判定した印刷対象とに基づいて印刷を行う印刷指令手段１６７６とを有することにより、印刷種類や印刷条件を容易に設定することができ、設定した印刷種類や印刷条件に即して印刷対象を印刷することができるので、設定した印刷種類や印刷条件に即した印刷物を利用して配線工事の効率化を図ることができる。
【００５２】
（実施の形態５）
本発明の実施の形態５における配線設計支援装置のハードウェア構成は実施の形態１と同様、図１の構成である。
図２６は、本発明の実施の形態５による配線設計支援装置を構成するケーブル配線札作成手段１７を示す機能ブロック図である。ケーブル配線札作成手段１７の行うケーブル配線札作成処理は通常、配線リスト作成処理後に行われる処理である。
【００５３】
図２６において、１７１は工事別データファイルから配線情報をケーブル配線札用データとして読み込む読込み手段、１７２は読み込んだケーブル配線札用データの並べ替えを行うデータ並べ替え手段、１７３は並べ替えたケーブル配線札用データを配線札一覧に表示すると共に表示されているケーブル配線札に表す表示手段、１７４は表示したケーブル配線札用データとケーブル配線札をレーザプリンタ９に印刷させる印刷指令手段である。
【００５４】
このように構成された配線設計支援装置のケーブル配線札作成手段１７について、その動作を図２７〜図２９を用いて説明する。
図２７は図２６のケーブル配線札作成手段１７の動作を示すフローチャートであり、図２８はケーブル配線札の一覧（配線札一覧）を示す画面図、図２９はケーブル配線札の印刷出力を示す印刷出力図である。
【００５５】
図２７において、まず、読込み手段１７１はディスク８の工事別データファイルから配線情報をケーブル配線札用データとして読み込み（Ｓ６１）、データ並べ替え手段１７２は読み込んだケーブル配線札用データの並べ替えを行う（Ｓ６２）。たとえば、図１２の配線リストでは電圧６００Ｖ、線種ＣＶＶと表示されているが、これを線種の欄に６００Ｖ−ＣＶＶと表示する（図２８参照）。次に、表示手段１７３は、並べ替えたケーブル配線札用データを配線札一覧に表示すると共に、表示されているケーブル配線札（図２８参照）の符号や線種の欄にデータを表示する（Ｓ６３）。次に、印刷指令手段１７４は、表示したケーブル配線札を図２９のようにレーザプリンタ９に印刷させる（Ｓ６４）。
【００５６】
以上のように本実施の形態によれば、ケーブル配線札作成手段１７は、工事別データファイルから配線情報をケーブル配線札用データとして読み込む読込み手段１７１と、読み込んだケーブル配線札用データの並べ替えを行うデータ並べ替え手段１７２と、並べ替えたケーブル配線札用データを配線札一覧に表示すると共に表示されているケーブル配線札のフォーマットに表わす表示手段１７３と、表示したケーブル配線札用データとケーブル配線札のフォーマットをプリンタに印刷させる印刷指令手段１７４とを有することにより、ケーブル配線札作成において、作業効率を高めることができると共に作業ミスを回避することができる。
【００５７】
（実施の形態６）
本発明の実施の形態６における配線設計支援装置のハードウェア構成は実施の形態１と同様、図１の構成である。
図３０は、本発明の実施の形態６による配線設計支援装置を構成する材料集計表作成手段１８を示す機能ブロック図である。材料集計表作成手段１８の行う材料集計表作成処理は通常、配線リスト作成処理後に行われる処理である。
【００５８】
図３０において、１８１は工事別データファイルから配線情報を読み込む読込み手段、１８２は読み込んだ配線情報に基づいて材料別に数量を集計する数量集計手段、１８３は集計した材料別数量を材料集計表に材料情報として表示する表示手段、１８４は集計した材料の中のケーブルが関連する材料とその関連する材料の数量とを入力する入力手段、１８５は必要なデータを入力したか否かを判定する入力判定手段、１８６は上記関連する材料を含む材料情報をディスク８の材料集計データファイルに格納する記憶手段、１８７は材料毎に全数量を合計する合計計算手段、１８８は上記関連する材料を含む材料情報をレーザプリンタ９に印刷させる印刷指令手段である。
【００５９】
このように構成された配線設計支援装置の材料集計表作成手段１８について、その動作を図３１、図３２を用いて説明する。図３１は図３０の材料集計表作成手段１８の動作を示すフローチャートであり、図３２は材料集計表のフォーマットを示す画面図である。
【００６０】
図３１において、まず、読込み手段１８１は工事別データファイルから配線情報を読み込み（Ｓ７１）、数量集計手段１８２は、読み込んだ配線情報に基づいて材料別に数量を集計し（Ｓ７２）、表示手段１８３は、集計した材料別数量を材料集計表に材料情報として表示する（Ｓ７３）。次に、入力手段１８４は、集計した材料の中のケーブルが関連する材料とその関連する材料の数量とを入力すし（Ｓ７４）、入力判定手段１８５は、必要なデータを入力したか否かを判定する（Ｓ７５）。入力判定後、表示手段１８３は、上記関連する材料を含む材料情報を表示する（Ｓ７６）。次に、記憶手段１８６は、上記関連する材料を含む材料情報をディスク８の材料集計データファイルに格納し（Ｓ７７）、合計計算手段１８７は、材料毎に全数量を合計し（Ｓ７８）、印刷指令手段１８８は、上記関連する材料を含む材料情報をレーザプリンタ９に材料集計表のフォーマットで印刷させる（Ｓ７９）。
【００６１】
以上のように本実施の形態によれば、材料集計表作成手段１８は、工事別データファイルから配線情報を読み込む読込み手段１８１と、読み込んだ配線情報に基づいて材料別に数量を集計する数量集計手段１８２と、集計した材料別数量を材料集計表に材料情報として表示する第１の表示手段１８３と、集計した材料の中のケーブルが関連する材料と関連する材料の数量とを入力する入力手段１８４と、関連する材料を含む材料情報を表示する第２の表示手段１８３と、関連する材料を含む材料情報をディスクの材料集計データファイルに格納する記憶手段１８６と、関連する材料を含む材料情報をプリンタに印刷させる印刷指令手段１８８とを有することにより、ケーブル種類等の材料情報を示す材料集計表に応じて必要な材料情報を確実に入力することができるので、材料集計表作成において、作業効率を高めることができると共に作業ミスを回避することができる。
【００６２】
（実施の形態７）
本発明の実施の形態７における配線設計支援装置のハードウェア構成は実施の形態１と同様、図１の構成である。
図３３は、本発明の実施の形態６による配線設計支援装置を構成するケーブル購入仕様書作成手段１９を示す機能ブロック図である。ケーブル購入仕様書作成手段１９の行うケーブル購入仕様書作成処理は通常、配線リスト作成処理後あるいは材料集計表作成処理後に行われる処理である。
【００６３】
図３３において、１９１は工事別データファイルから配線情報を読み込む読込み手段、１９２は読み込んだ配線情報に基づいて線種毎に長さを集計する長さ集計手段、１９３は集計した長さをケーブル購入仕様書に表示する表示手段、１９４は線種毎の長さを変更する場合には入力装置を介して変更データを入力する入力手段、１９５は必要なデータを入力したか否かの判定を行う入力判定手段、１９６は線種毎の長さを線種別に合計する長さ合計手段、１９７は合計した線種別の長さ表示したケーブル購入仕様書を工事別データファイルに格納する記憶手段、１９８は合計した線種別の長さを表示したケーブル購入仕様書をレーザプリンタ９に印刷させる印刷指令手段である。
【００６４】
このように構成されたケーブル購入仕様書作成手段１９について、その動作を図３４、図３５を用いて説明する。図３４は図３３のケーブル購入仕様書作成手段１９の動作を示すフローチャートであり、図３５はケーブル購入仕様書のフォーマットを示す画面図である。
【００６５】
図３４において、まず、読込み手段１９１は、工事別データファイルから配線情報を読み込み（Ｓ８１）、長さ集計手段１９２は、読み込んだ配線情報に基づいて線種毎に長さを集計し（Ｓ８２）、表示手段１９３は集計した長さをケーブル購入仕様書に表示する（Ｓ８３）。次に、入力手段１９４は、線種毎の長さを変更する場合には入力装置５を介して変更データを入力し（Ｓ８４）、入力判定手段１９５は、必要なデータを入力したか否かの判定を行う（Ｓ８５）。次に、合計手段１９６は、線種毎の長さを線種別に合計し（Ｓ８６）、表示手段１９３は、合計した線種別の長さをケーブル購入仕様書に表示する（Ｓ８７）。次に、記憶手段１９７は、合計した線種別の長さを表示したケーブル購入仕様書を工事別データファイルに格納し（Ｓ８８）、印刷指令手段１９８は、上記合計した線種別の長さを表示したケーブル購入仕様書をレーザプリンタ９に印刷させる（Ｓ８９）。
【００６６】
以上のように本実施の形態によれば、ケーブル購入仕様書作成手段１９は、工事別データファイルから配線情報を読み込む読込み手段１９１と、読み込んだ配線情報に基づいて線種毎に長さを集計する長さ集計手段１９２と、集計した長さをケーブル購入仕様書に表示する第１の表示手段１９３と、線種毎の長さを変更する場合には入力装置を介して変更データを入力する入力手段１９４と、線種毎の長さを線種別に合計する長さ合計手段１９６と、合計した線種別の長さをケーブル購入仕様書に表示する第２の表示手段１９３と、合計した線種別の長さを表示したケーブル購入仕様書を工事別データファイルに格納する記憶手段１９７と、合計した線種別の長さを表示したケーブル購入仕様書をプリンタに印刷させる印刷指令手段１９８とを有することにより、ケーブル種別等の仕様情報を示すケーブル購入仕様書に応じて必要な仕様情報を確実に入力することができるので、ケーブル購入仕様書作成において、作業効率を高めることができると共に作業ミスを回避することができる。
【００６７】
【発明の効果】
以上説明したように本発明の請求項１に記載の配線設計支援装置によれば、入力した工事名称に対応する配線リストや結線表などの配線設計表を作成する配線設計支援装置であって、全体制御やデータ処理などを行う中央処理装置と、キーボードやマウスなどの入力装置と、文字や図形などを表示する表示装置と、各種データを格納するディスクと、文字や図形などを印刷するプリンタとを有し、中央処理装置は、ケーブルの被覆色、シールドの有無、ペア線の有無を示す線種データとケーブルの芯線の色分けを示す色別情報を含む登録情報を登録するマスタ登録手段と、ケーブル番号、線種、線数、自盤名称、至盤名称を含む配線情報を示す配線リストを作成する配線リスト作成手段と、信号名、端子番号、線番号、芯番号を含む結線情報を示す結線表を作成する結線表作成手段とを有し、マスタ登録手段は、登録情報を入力装置を介して入力する登録情報入力手段と、入力した登録情報を表示装置に表示する登録情報表示手段と、登録情報をディスクのマスタデータファイルに格納する登録情報記憶手段とを有し、配線リスト作成手段は、配線情報としての工事名称を入力装置を介して入力すると共に新規の場合には配線情報を入力する第１の配線情報入力手段と、２回目以降の場合には配線情報をディスクから読み込む配線情報読込み手段と、読み込んだ配線情報を変更する場合には変更した配線情報を入力する第２の配線情報入力手段と、線種データをマスタデータファイルから読み込む第２の配線情報読み込み手段と、配線情報を配線リストのフォーマットで表示装置に表示する配線リスト表示手段と、表示した配線情報をディスクの工事別データファイルに格納する配線情報記憶手段と、表示した配線情報をプリンタに印刷させる配線情報印刷手段とを有し、結線表作成手段は、工事別データファイルから配線情報を読み込む配線情報読込み手段と、読み込んだ配線情報の中の線数情報の示す線数分だけの行数を結線表に確保する行数確保手段と、読み込んだ配線情報を結線情報として結線表のフォーマットで表示装置に表示する第１の結線表表示手段と、結線情報を変更する場合には変更結線情報を入力装置を介して入力する結線表入力手段と、結線情報の中の芯番号として色別情報をマスタデータファイルから読み込む色別情報読込み手段と、芯番号を含む結線情報を表示する第２の結線表表示手段と、表示した結線情報を工事別データファイルに格納する結線情報記憶手段と、表示した結線情報をプリンタに印刷させる結線情報印刷手段とを有することにより、配線設計表作成において登録情報を利用することができるので、作業効率を高めることができ、また、ケーブル番号等の配線情報を示す配線リストに応じて必要な配線情報を確実に入力することができ、入力しさえすれば配線リストが作成されるので、配線リスト作成において、作業効率を高めることができると共に作業ミスを回避することができるという有利な効果が得られる。
また、ケーブル番号等の結線情報を示す結線表に応じて必要な結線情報を確実に入力することができ、入力しさえすれば結線表が作成されるので、結線表作成において、作業効率を高めることができると共に作業ミスを回避することができるという有利な効果が得られる。
また、結線用として作製していたチューブ印刷も、従来は図面を見ながら再度番号を入力して印字していたが、本発明によれば結線表で入力された番号をチューブ専用プリンタと接続することにより自動でチューブ印刷を行うことができるとともに、チューブ印刷も自盤名称及び至盤名称を先に印刷し、線番号を印刷できるため、印刷後の相番処理を極めて容易かつ確実に行うことができる。また、チューブの種類も選択して印刷できるので、線のサイズを指定して印刷すればチューブの差し換えも一度で行うことができる。
また、配線リストや結線表を作成することにより、ケーブル札やチューブ印刷、材料手配リスト、材料集計等が同時に行うことができ信頼性が高く、従来の配線設計時に逐次作業に比べ時間と経費を大幅に削減できるとともに、省力化に優れる。
【００６８】
請求項２に記載の配線設計支援装置によれば、請求項１に記載の配線設計支援装置において、配線情報印刷手段は、印刷種類・印字幅等の印刷条件を設定する設定手段と、図面表紙・配線リスト等の印刷対象を判定する表紙リスト判定手段と、表紙リスト判定手段で判定した印刷対象を印刷条件により印刷する印刷指令手段とを有することにより、印刷条件を容易に設定することができ、設定した印刷条件に即して印刷対象を印刷することができるので、設定した印刷条件に即した印刷物を利用して配線工事の効率化を図ることができるという有利な効果が得られる。
【００６９】
請求項３に記載の配線設計支援装置によれば、結線情報印刷手段は、図面・チューブ等の印刷種類を選択する種類選択手段と、印字幅等の印刷条件を設定する設定手段と、選択した印刷種類が図面の場合に図面表紙・電気結線等の印刷対象を判定する表紙結線判定手段と、選択した印刷種類と印刷条件と判定した印刷対象とに基づいてプリンタに対して印刷を行わせる印刷指令手段とを有することにより、印刷種類や印刷条件を容易に設定することができ、設定した印刷種類や印刷条件に即して印刷対象を印刷することができるので、設定した印刷種類や印刷条件に即した印刷物を利用して配線工事の効率化を図ることができるという有利な効果が得られる。
【００７０】
請求項４に記載の配線設計支援装置によれば、請求項１乃至３のいずれか１に記載の配線設計支援装置において、中央処理装置は、ケーブル番号、線種、線サイズ、自盤名称、至盤名称を含むケーブル配線札用データが記載されたケーブル配線札を作成するケーブル配線札作成手段を有することにより、ケーブル番号等のケーブル配線札用データを示す配線札一覧表に応じて必要なケーブル配線札用データが作成されるので、ケーブル配線札作成において、作業効率を高めることができると共に作業ミスを回避することができるという有利な効果が得られる。
【００７１】
請求項５に記載の配線設計支援装置によれば、請求項４に記載の配線設計支援装置において、ケーブル配線札作成手段は、工事別データファイルから配線情報をケーブル配線札用データとして読み込む読込み手段と、読み込んだケーブル配線札用データの並べ替えを行うデータ並べ替え手段と、並べ替えたケーブル配線札用データを配線札一覧に表示すると共に表示されているケーブル配線札のフォーマットに表わす表示手段と、表示したケーブル配線札用データとケーブル配線札のフォーマットをプリンタに印刷させる印刷指令手段とを有することにより、ケーブル番号等のケーブル配線札が作成されるので、ケーブル配線札作成において、作業効率を高めることができると共に作業ミスを回避することができるという有利な効果が得られる。
【００７２】
請求項６に記載の配線設計支援装置によれば、請求項１乃至５のいずれか１に記載の配線設計支援装置において、中央処理装置は、ケーブル種類、ケーブル長さの総計、端末の総計、電線管、電線管長さの総計を含む材料情報を示す材料集計表を作成する材料集計表作成手段を有することにより、ケーブル種類等の材料情報を示す材料集計表に応じて必要な材料情報を入力しさえすれば材料集計表が作成されるので、材料集計表作成において、作業効率を高めることができると共に作業ミスを回避することができるという有利な効果が得られる。
【００７３】
請求項７に記載の配線設計支援装置によれば、請求項６に記載の配線設計支援装置において、材料集計表作成手段は、工事別データファイルから配線情報を読み込む読込み手段と、読み込んだ配線情報に基づいて材料別に数量を集計する数量集計手段と、集計した材料別数量を材料集計表に材料情報として表示する第１の表示手段と、集計した材料の中のケーブルが関連する材料と関連する材料の数量とを入力する入力手段と、関連する材料を含む材料情報を表示する第２の表示手段と、関連する材料を含む材料情報をディスクの材料集計データファイルに格納する記憶手段と、関連する材料を含む材料情報をプリンタに印刷させる印刷指令手段とを有することにより、ケーブル種類等の材料情報を示す材料集計表に応じて必要な材料情報を確実に入力することができるので、材料集計表作成において、作業効率を高めることができると共に作業ミスを回避することができるという有利な効果が得られる。
【００７４】
請求項８に記載の配線設計支援装置によれば、請求項１乃至７のいずれか１に記載の配線設計支援装置において、中央処理装置は、ケーブル種別、色別、線サイズ、注文長さを含む仕様情報を示すケーブル購入仕様書を作成するケーブル購入仕様書作成手段を有することにより、ケーブル種別等の仕様情報を示すケーブル購入仕様書に応じて必要な仕様情報を入力しさえすればケーブル購入仕様書が作成されるので、ケーブル購入仕様書作成において、作業効率を高めることができると共に作業ミスを回避することができるという有利な効果が得られる。
【００７５】
請求項９に記載の配線設計支援装置によれば、請求項８に記載の配線設計支援装置において、ケーブル購入仕様書作成手段は、工事別データファイルから配線情報を読み込む読込み手段と、読み込んだ配線情報に基づいて線種毎に長さを集計する長さ集計手段と、集計した長さをケーブル購入仕様書に表示する第１の表示手段と、線種毎の長さを変更する場合には入力装置を介して変更データを入力する入力手段と、線種毎の長さを線種別に合計する長さ合計手段と、合計した線種別の長さをケーブル購入仕様書に表示する第２の表示手段と、合計した線種別の長さを表示したケーブル購入仕様書を工事別データファイルに格納する記憶手段と、合計した線種別の長さを表示したケーブル購入仕様書をプリンタに印刷させる印刷指令手段とを有することにより、ケーブル種別等の仕様情報を示すケーブル購入仕様書に応じて必要な仕様情報を確実に入力することができるので、ケーブル購入仕様書作成において、作業効率を高めることができると共に作業ミスを回避することができるという有利な効果が得られる。
【図面の簡単な説明】
【図１】本発明の実施の形態１、２、３、４、５、６、７による配線設計支援装置のハードウェア構成を示すブロック図
【図２】中央処理装置における機能実現手段としての基本的構成を示す機能ブロック図
【図３】配線設計支援装置の基本動作を示すフローチャート
【図４】図２の処理実行手段の構成を示す機能ブロック図
【図５】本発明の実施の形態２による配線設計支援装置を構成するマスタ登録手段を示す機能ブロック図
【図６】図５のマスタ登録手段の動作を示すフローチャート
【図７】ＣＲＴの画面に表示された登録情報一覧表を示す画面図
【図８】本発明の実施の形態３による配線設計支援装置を構成する配線リスト作成手段を示す機能ブロック図
【図９】図８の印刷手段を示す機能ブロック図
【図１０】図８の配線リスト作成手段の動作を示すフローチャート
【図１１】図９の印刷手段の動作を示すフローチャート
【図１２】配線リストのフォーマットを示す画面図
【図１３】配線リストのフォーマットを示す画面図
【図１４】線種の選択画面を示す画面図
【図１５】図１２のケーブル番号を示す盤間配線図
【図１６】図面表紙を示す画面図
【図１７】本発明の実施の形態４による配線設計支援装置を構成する結線表作成手段を示す機能ブロック図
【図１８】図１７の印刷手段を示す機能ブロック図
【図１９】図１７の結線表作成手段の動作を示すフローチャート
【図２０】図１８の印刷手段の動作を示すフローチャート
【図２１】結線表のフォーマットを示す画面図
【図２２】結線表のフォーマットを示す画面図
【図２３】回路選択を行うための画面を示す画面図
【図２４】色別選択のための画面を示す画面図
【図２５】チューブプリンタによる印刷出力を示す印刷出力図
【図２６】本発明の実施の形態５による配線設計支援装置を構成するケーブル配線札作成手段を示す機能ブロック図
【図２７】図２６のケーブル配線札作成手段の動作を示すフローチャート
【図２８】ケーブル配線札の一覧（配線札一覧）を示す画面図
【図２９】ケーブル配線札の印刷出力を示す印刷出力図
【図３０】本発明の実施の形態６による配線設計支援装置を構成する材料集計表作成手段を示す機能ブロック図
【図３１】図３０の材料集計表作成手段の動作を示すフローチャート
【図３２】材料集計表のフォーマットを示す画面図
【図３３】本発明の実施の形態７による配線設計支援装置を構成するケーブル購入仕様書作成手段を示す機能ブロック図
【図３４】図３３のケーブル購入仕様書作成手段の動作を示すフローチャート
【図３５】ケーブル購入仕様書のフォーマットを示す画面図
【符号の説明】
１  中央処理装置（ＣＰＵ）
２  バス
３  ＲＯＭ
４  ＲＡＭ
５  キーボード（入力装置）
６  マウス（入力装置）
７  表示装置（ＣＲＴ）
８  ディスク（ＤＩＳＫ）
９  レーザプリンタ
１０  チューブプリンタ
１１  処理選択手段
１２  処理実行手段
１３  終了判定手段
１４  マスタ登録手段
１５  配線リスト作成手段
１６  結線表作成手段
１７  ケーブル配線札作成手段
１８  材料集計表作成手段
１９  ケーブル購入仕様書作成手段
１４１、１５１、１６４、１８４、１９４  入力手段
１４２、１５４、１６５、１８５、１９５  入力判定手段
１４３、１５３、１６３、１７３、１８３、１９３  表示手段
１４４  保存判定手段
１４５、１５５、１６６、１８６、１９７  記憶手段
１４６、１７４、１８８、１９８、１５６４、１６７６  印刷指令手段
１５２、１６１、１７１、１８１、１９１  読込み手段
１５６、１６７  印刷手段
１６２  行数確保手段
１７２  データ並べ替え手段
１８２  数量集計手段
１８７  合計計算手段
１９２  長さ集計手段
１９６  長さ合計手段
１５６１、１６７３  設定手段
１５６２  表紙リスト判定手段
１５６３  表紙データ入力手段
１６７１  種類選択手段
１６７２  図面チューブ判定手段
１６７４  表紙結線判定手段
１６７５  表紙データ入力手段
【図１】
0003857929.tif 000002
【図２】
0003857929.tif 000003
【図３】
0003857929.tif 000004
【図４】
0003857929.tif 000005
【図５】
0003857929.tif 000006
【図６】
0003857929.tif 000007
【図７】
0003857929.tif 000008
【図８】
0003857929.tif 000009
【図９】
0003857929.tif 000010
【図１０】
0003857929.tif 000011
【図１１】
0003857929.tif 000012
【図１２】
0003857929.tif 000013
【図１３】
0003857929.tif 000014
【図１４】
0003857929.tif 000015
【図１５】
0003857929.tif 000016
【図１６】
0003857929.tif 000017
【図１７】
0003857929.tif 000018
【図１８】
0003857929.tif 000019
【図１９】
0003857929.tif 000020
【図２０】
0003857929.tif 000021
【図２１】
0003857929.tif 000022
【図２２】
0003857929.tif 000023
【図２３】
0003857929.tif 000024
【図２４】
0003857929.tif 000025
【図２５】
0003857929.tif 000026
【図２６】
0003857929.tif 000027
【図２７】
0003857929.tif 000028
【図２８】
0003857929.tif 000029
【図２９】
0003857929.tif 000030
【図３０】
0003857929.tif 000031
【図３１】
0003857929.tif 000032
【図３２】
0003857929.tif 000033
【図３３】
0003857929.tif 000034
【図３４】
0003857929.tif 000035
【図３５】
0003857929.tif 000036